(57)【要約】【課題】携帯して自分で操作でき、組立て/分解が便利な鼻腔洗浄カテーテル装置を提供する。【解決手段】鼻腔洗浄カテーテル装置は、カテーテルユニット３、連接ユニット４及び注射ユニット５からなり、カテーテルユニット３はカテーテル本体３１、及びカテーテル本体３１上に形成する複数の開口部３２を備え、カテーテル本体３１は開放端３１１、及び開放端３１１の反対側の封鎖端３１２を備え、連接ユニット４は、連接部４１及び組合せ部４２を備え、連接部４１の一端には、開放端３１１と嵌めて接続する連接細管４１１を設置し、反対の端と組合せ部４２を連接し、注射ユニット５は分離可能状に開放端３１１と嵌めて接続する注射シリンジ５１、及び注射シリンジ５１に設置する圧迫部品５２を備える。【選択図】図４
2014240031.tif 000002
【特許請求の範囲】
【請求項１】
注射ユニットと連接することに適用し、
カテーテル本体、及び該カテーテル本体上に形成する複数の開口部を備え、該複数の開口部から鼻腔へ多重の微小水柱を噴出するカテーテルユニットを含み、
該カテーテル本体は、使用者が自ら鼻腔に挿入し、開放端、及び該開放端の反対側にある封鎖端を備え、該カテーテル本体は、シリコンゴム、ラテックスゴム或いは他の柔軟で弾性を備える材質により製造され、しかも該カテーテル本体の外径は３mm以下で、該複数の開口部の直径は０.３mm以下であることを特徴とする鼻腔洗浄カテーテル装置。
【請求項２】
前記鼻腔洗浄カテーテル装置はさらに、該注射ユニットと連接する連接ユニットを備え、該連接ユニットは、連接部及び組合せ部を備え、
該連接部は該カテーテル本体の該開放端と接続し、該組合せ部は該注射ユニットと連接することを特徴とする請求項１に記載の鼻腔洗浄カテーテル装置。
【請求項３】
前記カテーテル本体は、該開放端より該封鎖端までを、連接セクション、伸入セクション、洗浄セクションに区分し、該連接セクションと該伸入セクションとの長さは、２〜１０cmで、複数の該開口部は、該洗浄セクション上に開設されることを特徴とする請求項２に記載の鼻腔洗浄カテーテル装置。
【発明の詳細な説明】
【技術分野】
【０００１】
本発明は洗鼻装置に関し、特に携帯して自分で操作でき、組立て/分解が便利な鼻腔洗浄カテーテル装置に関する。
【背景技術】
【０００２】
近年来、工業の発展と気候変動により、空気の汚染はますます深刻になっている。そのため、生活に及ぼす影響も極めて大きくなり、慢性副鼻腔炎の患者も増えている。
慢性副鼻腔炎には根治の方法がない。その症状は、鼻づまり、粘液性鼻汁の逆流、のどの異物感で、鼻腔を湿らし症状を軽減することが主要な治療方法である。
【０００３】
図１、２は人の鼻腔内部の矢状断面図と冠状断面図である。人の鼻腔内部は、空洞の鼻前庭７０から鼻咽頭７１へと、上鼻甲介Ａ、中鼻甲介Ｂ、下鼻甲介Ｃの３個の鼻甲介と、この3個の鼻甲介より鼻腔底に区画された上鼻腔Ａ１、中鼻腔Ｂ１、下鼻腔Ｃ１の３個の左右わずかに湾曲したすき間と、１個パラ中隔スペース（para-septal space）により組成される。
副鼻腔が分泌する粘液性鼻汁はすべて、上鼻腔Ａ１及び中鼻腔Ｂ１に位置する数個の開口から排出される。  
よって、慢性副鼻腔炎が分泌する粘度が高い鼻汁は、強く鼻をかんだり吸入したりしても排除し辛い、また排除しないで鼻腔内に長く残ると、呼吸した空気の乾燥作用で鼻糞になり、主に上鼻腔Ａ１及び中鼻腔Ｂ１の中に付着、堆積し、鼻腔のつまりを引き起こす。粘度が高い分泌物は排除し辛いが、重力により鼻咽頭71に落ち込む。この現象は顔が上を向き、そして目が上を見るときに発生する。この粘液が少量であっても鼻咽頭71に落ち込んだら除き辛いため、喉に異物感を感じたり、咳きを引き起こしやすい。故に鼻づまりより困る。この症状を放置すれば粘液は上鼻腔に満ち、そして副鼻腔の出口が詰まり、急性の副鼻腔炎を起こす、そのため内科や外科の治療が必要になる。  
鼻腔洗浄の歴史は、古代インドのayurvedic medicinetechniqueという医療技術[鼻壺，ウィキペディア(neti pot,wikipedia)]にまで遡ることができる。ここ数十年の間に鼻腔の潤いを改善するため、新たな設備が多く開発されてきた。しかし、給水方式を変更してはいるが、前から後へ向かって単一方向に給水する方式の変更はない。古代インドの従来の医療概念を実質的に変えることが出来なかった。
【０００４】
図３に示すように、台湾実用新案Ｍ４１８６８９号は現在一般に見られる鼻洗浄器と大同小異のものである。  
該鼻洗浄器は、圧迫部１０及び噴射ノズル２０を備える。  
該圧迫部１０は、内部空間１１を備える。  
該噴射ノズル２０は、噴出口２１、及び該圧迫部１０内部空間１１へと延伸する延伸管部２２を備える。  
該内部空間１１に水を充填し、外から内へと圧力を加え、該圧迫部１０を收縮させると、圧力は、該内部空間１１中にある水を、該延伸管部２２へと押し出し、こうして該噴出口２１から水を噴出する。
【０００５】
副鼻腔炎の患者が真に洗浄を必要としているのは、上鼻腔Ａ１と中鼻腔Ｂ１内の粘度の高い分泌物である。  
しかし、該噴射ノズル２０が大きすぎて、鼻前庭７０にしか置けない。それに、単一方向の水柱しか噴出することができないため、下鼻腔Ｃ１しか洗浄することができない。  
よって、粘度が高い若しくは乾燥して硬い分泌物で詰まったより深層にある上鼻腔Ａ１と中鼻腔Ｂ１に対しては、洗浄を行うことができないため、患者の不快な症状をほんとうに緩和することができない。更に、該噴射ノズル２０は単一方向の水柱が強すぎるため、患者の粘膜を損傷し咳込みやすい。
【先行技術文献】
【特許文献】
【０００６】
【特許文献１】中華民国実用新案第Ｍ４１８６８９号
【特許文献２】特開２０１２−１９２１９６号公報
【発明の概要】
【発明が解決しようとする課題】
【０００７】
本発明が解決しようとする課題は、カテーテルユニット及び注射ユニットからなる簡単で便利な鼻腔洗浄カテーテル装置を提供することである。
【課題を解決するための手段】
【０００８】
上記課題を解決するため、本発明は下記の鼻腔洗浄カテーテル装置を提供する。  
鼻腔洗浄カテーテル装置は、注射ユニットと連接することに適用し、
カテーテル本体、及び該カテーテル本体上に形成する複数の開口部を備え、該複数の開口部から鼻腔へ多重の微小水柱を噴出するカテーテルユニットを含み、
該カテーテル本体は、使用者が自ら鼻腔に挿入し、開放端、及び該開放端の反対側にある封鎖端を備え、該カテーテル本体は、シリコンゴム、ラテックスゴム或いは他の柔軟で弾性を備える材質により製造され、しかも該カテーテル本体の外径は３mm以下で、該複数の開口部の直径は０.３mm以下である。
【発明の効果】
【０００９】
本発明のカテーテルユニット及び注射ユニットからなる鼻腔洗浄カテーテル装置によれば、(１）該カテーテルユニットが鼻腔内部に深く進入し洗浄を行うことができるため、副鼻腔炎患者の不快な症状を真に緩和でき、（２）副作用もなく、使用者が自分でコントロールすることができ、（３）カテーテルユニット及び注射ユニットからなる簡単で構造で、コンパクトで携帯して自分で操作でき、且つ、組立て/分解が便利である。
【図面の簡単な説明】
【００１０】
【図１】人体の鼻腔内部の矢状断面模式図である。
【図２】人体の鼻腔内部の冠状断面模式図である。
【図３】特許文献１に示す鼻洗浄器を示す局部断面模式図である。
【図４】本発明の鼻腔洗浄カテーテル装置の第一実施例を示す立体分解模式図である。
【図５】人体の側面鼻腔内で第一実施例の鼻腔洗浄カテーテル装置を使用する使用状態を示す矢状断面模式図である。
【図６】人体の正面鼻腔内で第一実施例の鼻腔洗浄カテーテル装置を使用する使用状態を示す別の角度からの冠状断面模式図である。
【図７】本発明の鼻腔洗浄カテーテル装置の第二実施例を示す立体模式図である。
【発明を実施するための形態】
【００１１】
以下に図面を参照しながら本発明を実施するための最良の形態について詳細に説明する。
【実施例】
【００１２】
本発明の鼻腔洗浄カテーテル装置の第一実施例を示す図４に示すように、鼻腔洗浄カテーテル装置は、カテーテルユニット３、連接ユニット４、注射ユニット５からなる。
【００１３】
該カテーテルユニット３は、カテーテル本体３１、及び該カテーテル本体３１上に形成する複数の開口部３２を備える。
【００１４】
該カテーテル本体３１は、開放端３１１、及び該開放端３１１の反対側の封鎖端３１２を備える。
【００１５】
しかも、該封鎖端３１２はわずかに湾曲状を呈し、これにより該カテーテル本体３１は、曲がりながら、鼻腔の深い位置へと進入することができる。
【００１６】
該カテーテル本体３１は、該開放端３１１から該封鎖端３１２までの間が、連接セクション３１３、伸入セクション３１４、洗浄セクション３１５に区分され、該連接セクションの長さは、１〜５cmで、該伸入セクションの長さは、１〜５cmで、該洗浄セクション３１５の長さは、３〜１０cmである。
【００１７】
該カテーテル本体３１上の複数の開口部３２は、該洗浄セクション３１５上に開設され、しかも該開口部３２の口径は、該封鎖端３１２に近い方から、該封鎖端３１２から遠い方へと徐々に大きくなる。
【００１８】
本発明の該カテーテル本体３１の材質は、シリコンゴム或いはラテックスゴム等の軟質材料で、これにより湾曲した鼻腔中でスムーズに進行し、容易に前進することができる。
【００１９】
しかも、正常な鼻腔の狭いところは、３mmに満たないため、本発明のカテーテル本体３１の管径は、３mmを超過しないことを原則として設計し製造する。
【００２０】
該連接ユニット４と該注射ユニット５を連接し、連接部４１及び組合せ部４２を備え、該連接部４１の一端には、該開放端３１１と嵌めて接続する連接細管４１１を設置し、反対の他方端は該組合せ部４２と連接する。
【００２１】
該連接細管４１１の管径は、該カテーテル本体３１の管径より小さいため、必然的に液体通過の抵抗を引き起こし、よって該連接細管４１１の長さが短ければ短いほど、抵抗は小さくなる。
【００２２】
該注射ユニット５は、分離可能状に該組合せ部４２と嵌めて接続する注射シリンジ５１、及び該注射シリンジ５１内に設置する圧迫部品５２を備える。
【００２３】
該注射シリンジ５１及び該圧迫部品５２は、その中に充填する液体を加圧するために用いられ、これにより水柱が形成され噴出され、該注射シリンジ５１及び該圧迫部品５２の形態は、多様な変化形態が可能であるため、本実施例の掲示に限定するものではない。
【００２４】
図５、６は、人体鼻腔通道の局部断面図である。
【００２５】
鼻腔内には、鼻前庭Ｅ、上鼻甲介Ｆ、中鼻甲介Ｇ、下鼻甲介Ｈ、上鼻腔Ｆ１、中鼻腔Ｇ１及び下鼻腔Ｈ１を備える。
【００２６】
該鼻前庭Ｅは、長さ約４cmで、該上鼻腔Ｆ１、該中鼻腔Ｇ１及び該下鼻腔Ｈ１はそれぞれ長さ約５cmであるため、第一実施例中では、該カテーテル本体３１の洗浄セクション３１５は、長さ５cmに設計する。
【００２７】
該複数の開口部３２は、直径０.０３cm以下の極細金属針を刺して形成し、各０.１cmから０.２cmを間隔として、該カテーテル管壁周面上を取り囲み開設する。
【００２８】
該カテーテル本体３１の全長は１７cmで、前端の洗浄セクション３１５の長さ５cm、及び該鼻前庭Ｅ中に位置する伸入セクション３１４の長さ４cmを除いた、残り８cmの連接セクション３１３は、外にあって、使用者が手で操作するために用い、必要な時には、鼻咽頭部Ｉに深く入れ、粘液性鼻汁を洗浄することができる。
【００２９】
実際の実施時には、使用者は、先ず、該カテーテル本体３１の洗浄セクション３１５を、該上鼻腔Ｆ１或いは該中鼻腔Ｇ１中に挿入し、該注射シリンジ５１中に洗浄液体を充填し、次に、該圧迫部品５２を利用して、該注射シリンジ５１中の洗浄液体を押し出す。
【００３０】
これにより、該洗浄液体は、該カテーテル本体３１の洗浄セクション３１５上の開口部３２から噴出し、該カテーテル本体３１に対して垂直に近い多角度の多重微小水柱を形成する。
【００３１】
該カテーテル本体３１に対して垂直に近いため、注射洗浄液の瞬間に、該カテーテル本体３１は、前方へ、或いは後方へと移動しにくく、洗浄液は、瞬間的に鼻腔に充満し、最適な洗浄効果を達成することができる。
【００３２】
該洗浄セクション３１５は、鼻腔の上鼻腔Ｆ１中に位置するため、噴出した水は、上鼻腔Ｆ１にたまった粘液性鼻汁或いはこびりつきを直接洗浄することができる。
【００３３】
同様の原理で、該洗浄セクション３１５が、該中鼻腔Ｇ１或いは該下鼻腔Ｈ１中に位置する時には、噴出した水は、該中鼻腔Ｇ１及び該下鼻腔Ｈ１中にたまった粘液性鼻汁或いはこびりつきを直接洗浄することができる。
【００３４】
該カテーテル本体３１は、シリコンゴム或いはラテックスゴム或いはその他の材質で製造し、管径は細小で、しかも質が柔軟である。
【００３５】
使用者がアレルギー或いは不快を感じたなら、無理に挿入せず、直ちに使用を停止することができる。
【００３６】
さらに、鼻腔の開口が小さすぎ、該カテーテル本体３１を該上鼻腔Ｆ１に完全に挿入できないとしても、該洗浄セクション３１５上の開口部３２が噴出するカテーテルに垂直な多方向の多重水柱は、周囲の大部分の区域を洗浄することができる。
【００３７】
しかも、水柱は長さ３０cmを超過するため、細い隙間を通り深いところまで到達するチャンスがあり、粘液性鼻汁或いは強く付着することによるつまり現象を改善することができる。
【００３８】
さらに、水柱は３０cmに達するが、同時に、多重の微小水柱として噴出するため、平均圧力は大きくなく、粘膜を損傷することはなく、該カテーテル本体３１の封鎖端３１２は開口していないので、該カテーテル本体３１を鼻咽頭部Ｉの深い位置へと進入しても呼吸もし難くならない。
【００３９】
図７は、本発明の鼻腔洗浄カテーテル装置の第二実施例を示す。
【００４０】
第二実施例と第一実施例とはおおよそ相同であるため、相同の部分に関しては、再度の記述は行わない。
【００４１】
両者の相違点は、該洗浄セクション３１５上の各開口部３２の口径は同じ大きさであるが、該封鎖端３１２から遠い方の開口部３２は密集して配置し、該封鎖端３１２に近い方の開口部３２は、まばらに配置する。
【００４２】
圧力を受けた水柱は、先ず、圧力が比較的小さい位置へと圧力を解放するため、水柱は先に封鎖端３１２へと集中する。
【００４３】
水柱が圧力を受けて封鎖端３１２底部に到達した後、圧力は、該複数の開口部３２の方への解放を始める。
【００４４】
こうして、該複数の開口部３２から噴出した、該カテーテル本体３１に対して垂直に近い多角度多重微小の水柱は、該封鎖端３１２から遠い方の開口部３２はより密集して配置し、該封鎖端３１２に近い方の開口部３２は、まばらに配置するため、洗浄セクション３１５全体が噴出する水量は比較的平均し、洗浄範囲も大きくなり、効率も高くなる。
【００４５】
１１０ccの水に、１ｇの食塩を加えれば、人体の体液に近い０.９％濃度の生理食塩水を調製することができるため、いつでもどこでも簡単に該注射ユニット５により注射に用いる洗浄溶液を調製でき、長期の旅行或いは外出中でも心配する必要はない。
【００４６】
上記したように、本発明の鼻腔洗浄カテーテル装置は、該カテーテルユニット３により、鼻腔内部の深い位置の湿らす必要があるところを洗浄できないという、従来の構造に存在する欠点を解決でき、これにより慢性副鼻腔炎の患者が抱える症状を真に改善することができる。
【００４７】
さらに、該カテーテルユニット３を基礎とした設計を、該連接ユニット４、及び該注射ユニット５と組み合わせる簡易な組立てを開発し、また使用者の各種使用状況を親身になって思いやり、使用過程における不適応感を減らし、使用者の外出時の使用を便利にすることができ、本発明の目的を確実に達成することができる。
【００４８】
上記の発明と内容は、本発明の技術内容の説明に用いたのみで、本発明を限定したものではない。本発明の精神に基づく等価応用、或いは部品（構造）の転換、置換、数量の増減はすべて、本発明の保護範囲に含むものとする。
【産業上の利用可能性】
【００４９】
本発明は特許の要件である新規性を備え、従来の同類製品に比べ十分な進歩を有し、実用性が高く、社会のニーズに合致しており、産業上の利用価値は非常に大きい。
【符号の説明】
【００５０】
Ｅ 鼻前庭
Ｆ 上鼻甲介
Ｆ１ 上鼻腔
Ｇ 中鼻甲介
Ｇ１ 中鼻腔
Ｈ 下鼻甲介
Ｈ１ 下鼻腔
Ｉ 鼻咽頭部
３ カテーテルユニット
３１ カテーテル本体
３１１ 開放端
３１２ 封鎖端
３１３ 連接セクション
３１４ 伸入セクション
３１５ 洗浄セクション
３２ 開口部
４ 連接ユニット
４１ 連接部
４１１ 連接細管
４２ 組合せ部
５ 注射ユニット
５１ 注射シリンジ
５２ 圧迫部品
【図１】
2014240031.tif 000003
【図２】
2014240031.tif 000004
【図３】
2014240031.tif 000005
【図４】
2014240031.tif 000006
【図５】
2014240031.tif 000007
【図６】
2014240031.tif 000008
【図７】
2014240031.tif 000009